(57)【要約】      （修正有）【課題】キャリアアグリゲーションをサポートするネットワークにおいて、ＰＤＣＣＨとＥＰＤＣＣＨの両方が採用されたときのクロスキャリアスケジューリングのためのワイヤレス通信のための方法、装置及びコンピュータプログラム製品を提供する。【解決手段】装置は、第１と第２のキャリアとを受信する。ここで、第１のキャリアは、第１及び第２の制御チャネルと、キャリア指示情報とを含む。第１の制御チャネルは、第１のキャリアに対応する。第２の制御チャネル及びキャリア指示情報は、第２のキャリアに対応する。第２の制御チャネルは、少なくとも第１（例えば、ＰＤＣＣＨ）又は第２のタイプの制御チャネル（例えば、ＥＰＤＣＣＨ）のうちの１つであり、キャリア指示情報は、第１及び第２のタイプの制御チャネルの両方のための第２のキャリアを識別する。次いで、第１の制御チャネルと第２の制御チャネルとを処理する。【選択図】図１０
2018207509.tif 000002
【特許請求の範囲】
【請求項１】
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１のタイプまたは第２のタイプの制御チャネルのうちの１つであり、およびここにおいて、前記キャリア指示情報の値が、前記第１のタイプと前記第２のタイプの制御チャネルの両方のための前記第２のコンポーネントキャリアを識別する、
前記第１と前記第２の制御チャネルとを処理することと
を備える、ワイヤレス通信の方法。
【請求項２】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項１に記載の方法。
【請求項３】
前記第１のコンポーネントキャリアが１次コンポーネントキャリアとして構成され、前記第２のコンポーネントキャリアが２次コンポーネントキャリアとして構成された、請求項１に記載の方法。
【請求項４】
前記第１のコンポーネントキャリアが第１の２次コンポーネントキャリアとして構成され、前記第２のコンポーネントキャリアが第２の２次コンポーネントキャリアとして構成された、請求項１に記載の方法。
【請求項５】
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成される、請求項１に記載の方法。
【請求項６】
前記第１の制御チャネルのために構成された第１の探索空間と、前記第２の制御チャネルのために構成された第２の探索空間とを監視することをさらに備え、前記第１と前記第２の探索空間とがリソースの前記共通セットを共有する、請求項５に記載の方法。
【請求項７】
前記第２の探索空間は、前記第１の探索空間からオフセットされる、請求項６に記載の方法。
【請求項８】
前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、
請求項１に記載の方法。
【請求項９】
前記キャリア指示情報の前記値は、無線リソース制御（ＲＲＣ）構成に基づいて前記第２の制御チャネル中に含まれる、請求項１に記載の方法。
【請求項１０】
前記第２の制御チャネルは第１のサブフレーム中の前記第１のタイプの制御チャネルであり、第２のサブフレーム中の前記第２のタイプの制御チャネルであり、前記第１のサブフレームは前記第２のサブフレームとは異なる、請求項１に記載の方法。
【請求項１１】
前記第２の制御チャネルのために構成されたＵＥ固有探索空間を監視することをさらに備える、請求項１に記載の方法。
【請求項１２】
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を備える、ワイヤレス通信の方法。
【請求項１３】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項１２に記載の方法。
【請求項１４】
前記第１のコンポーネントキャリアは、１次コンポーネントキャリアとして構成され、前記第２のコンポーネントキャリアは、２次コンポーネントキャリアとして構成された、請求項１２に記載の方法。
【請求項１５】
前記第１のコンポーネントキャリアが第１の２次コンポーネントキャリアとして構成され、前記第２のコンポーネントキャリアが第２の２次コンポーネントキャリアとして構成された、請求項１２に記載の方法。
【請求項１６】
前記第１の制御チャネルと前記第２の制御チャネルとは、拡張物理ダウンリンク制御チャネル（ＥＰＤＣＣＨ）であり、
前記方法は、前記第１の制御チャネルと前記第２の制御チャネルとのためのリソースの共通セットを構成することをさらに備える、
請求項１２に記載の方法。
【請求項１７】
前記第１の制御チャネルのために第１の探索空間を、および前記第２の制御チャネルのために第２の探索空間を構成することをさらに備え、前記第１の探索空間と前記第２の探索空間とがリソースの前記共通セットを共有する、請求項１６に記載の方法。
【請求項１８】
前記第２の探索空間は、前記第１の探索空間からオフセットされる、請求項１７に記載の方法。
【請求項１９】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、
請求項１２に記載の方法。
【請求項２０】
前記第２のコンポーネントキャリアに対応する前記キャリア指示情報の前記値は、無線リソース制御（ＲＲＣ）構成に基づいて前記第２の制御チャネル中に含まれる、請求項１２に記載の方法。
【請求項２１】
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、請求項１２に記載の方法。
【請求項２２】
前記第２の制御チャネルのためにＵＥ固有探索空間を構成することをさらに備える、請求項１２に記載の方法。
【請求項２３】
第１のコンポーネントキャリアと第２のコンポーネントキャリアとを受信するための手段と、前記第１のコンポーネントキャリアは、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するための手段と
を備える、ワイヤレス通信のための装置。
【請求項２４】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項２３に記載の装置。
【請求項２５】
前記第１のコンポーネントキャリアは、１次コンポーネントキャリアとして構成され、前記第２のコンポーネントキャリアは、２次コンポーネントキャリアとして構成された、請求項２３に記載の装置。
【請求項２６】
前記第１のコンポーネントキャリアは、第１の２次コンポーネントキャリアとして構成され、前記第２のコンポーネントキャリアは、第２の２次コンポーネントキャリアとして構成された、請求項２３に記載の装置。
【請求項２７】
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成された、請求項２３に記載の装置。
【請求項２８】
前記第１の制御チャネルのために構成された第１の探索空間と、前記第２の制御チャネルのために構成された第２の探索空間とを監視するための手段をさらに備え、前記第１の探索空間と前記第２の探索空間とがリソースの前記共通セットを共有する、請求項２７に記載の装置。
【請求項２９】
前記第２の探索空間は、前記第１の探索空間からオフセットされる、請求項２８に記載の装置。
【請求項３０】
前記第１の制御チャネルが、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、
請求項２３に記載の装置。
【請求項３１】
前記キャリア指示情報の前記値は、無線リソース制御（ＲＲＣ）構成に基づいて前記第２の制御チャネル中に含まれる、請求項２３に記載の装置。
【請求項３２】
前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、請求項２３に記載の装置。
【請求項３３】
前記第２の制御チャネルのために構成されたＵＥ固有探索空間を監視するための手段をさらに備える、請求項２３に記載の装置。
【請求項３４】
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するための手段と、ここにおいて、前記第２の制御チャネルが少なくとも第１または第２のタイプの制御チャネルのうちの１つであり、およびここにおいて、前記キャリア指示情報の値は、前記第１と前記第２のタイプとの制御チャネルの両方のための前記第２のコンポーネントキャリアを識別する、
前記第１と前記第２のコンポーネントキャリアとを送信するための手段と
を備える、ワイヤレス通信のための装置。
【請求項３５】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項３４に記載の装置。
【請求項３６】
前記第１のコンポーネントキャリアは、１次コンポーネントキャリアとして構成され、前記第２のコンポーネントキャリアは、２次コンポーネントキャリアとして構成された、請求項３４に記載の装置。
【請求項３７】
前記第１のコンポーネントキャリアは、第１の２次コンポーネントキャリアとして構成され、前記第２のコンポーネントキャリアは、第２の２次コンポーネントキャリアとして構成された、請求項３４に記載の装置。
【請求項３８】
前記第１の制御チャネルと前記第２の制御チャネルとは、拡張物理ダウンリンク制御チャネル（ＥＰＤＣＣＨ）であり、
前記装置は、前記第１の制御チャネルと前記第２の制御チャネルとのためのリソースの共通セットを構成するための手段をさらに備える、
請求項３４に記載の装置。
【請求項３９】
前記第１の制御チャネルのために第１の探索空間を、および前記第２の制御チャネルのために第２の探索空間を構成するための手段をさらに備え、前記第１と前記第２の探索空間とは、リソースの前記共通セットを共有する、請求項３８に記載の装置。
【請求項４０】
前記第２の探索空間は、前記第１の探索空間からオフセットされる、請求項３９に記載の装置。
【請求項４１】
前記第１の制御チャネルは、前記第１のコンポーネントキャリアに対応するキャリア指示情報を備え、前記第１のコンポーネントキャリアに対応する前記キャリア指示情報の値は、前記第１と前記第２のタイプの制御チャネルとの両方のための前記第１のコンポーネントキャリアを識別する、請求項３４に記載の装置。
【請求項４２】
前記第２のコンポーネントキャリアに対応する前記キャリア指示情報の前記値は、無線リソース制御（ＲＲＣ）構成に基づいて前記第２の制御チャネル中に含まれる、請求項３４に記載の装置。
【請求項４３】
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、請求項３４に記載の装置。
【請求項４４】
前記第２の制御チャネルのためにＵＥ固有探索空間を構成するための手段をさらに備える、請求項３４に記載の装置。
【請求項４５】
メモリと、
前記メモリに結合され、
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理することと
を行うように構成された少なくとも１つのプロセッサと
を備える、ワイヤレス通信のための装置。
【請求項４６】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項４５に記載の装置。
【請求項４７】
前記第１のコンポーネントキャリアは、１次コンポーネントキャリアとして構成され、前記第２のコンポーネントキャリアは、２次コンポーネントキャリアとして構成された、請求項４５に記載の装置。
【請求項４８】
前記第１のコンポーネントキャリアは、第１の２次コンポーネントキャリアとして構成され、前記第２のコンポーネントキャリアは、第２の２次コンポーネントキャリアとして構成された、請求項４５に記載の装置。
【請求項４９】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成された、請求項４５に記載の装置。
【請求項５０】
前記少なくとも１つのプロセッサは、前記第１の制御チャネルのために構成された第１の探索空間と、前記第２の制御チャネルのために構成された第２の探索空間とを監視するようにさらに構成され、前記第１と前記第２の探索空間とは、リソースの前記共通セットを共有する、請求項４９に記載の装置。
【請求項５１】
前記第２の探索空間は、前記第１の探索空間からオフセットされる、請求項５０に記載の装置。
【請求項５２】
前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、
請求項４５に記載の装置。
【請求項５３】
前記キャリア指示情報の前記値は、無線リソース制御（ＲＲＣ）構成に基づいて前記第２の制御チャネル中に含まれる、請求項４５に記載の装置。
【請求項５４】
前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、請求項４５に記載の装置。
【請求項５５】
前記少なくとも１つのプロセッサは、前記第２の制御チャネルのために構成されたＵＥ固有探索空間を監視するようにさらに構成された、請求項４５に記載の装置。
【請求項５６】
メモリと、
前記メモリに結合され、
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を行うように構成された少なくとも１つのプロセッサと
を備える、ワイヤレス通信のための装置。
【請求項５７】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項５６に記載の装置。
【請求項５８】
前記第１のコンポーネントキャリアは、１次コンポーネントキャリアとして構成され、前記第２のコンポーネントキャリアは、２次コンポーネントキャリアとして構成された、請求項５６に記載の装置。
【請求項５９】
前記第１のコンポーネントキャリアは、第１の２次コンポーネントキャリアとして構成され、前記第２のコンポーネントキャリアは、第２の２次コンポーネントキャリアとして構成された、請求項５６に記載の装置。
【請求項６０】
前記第１の制御チャネルと前記第２の制御チャネルとは、拡張物理ダウンリンク制御チャネル（ＥＰＤＣＣＨ）であり、
前記少なくとも１つのプロセッサが、前記第１の制御チャネルと前記第２の制御チャネルとのためにリソースの共通セットを構成するようにさらに構成された、
請求項５６に記載の装置。
【請求項６１】
前記少なくとも１つのプロセッサが、前記第１の制御チャネルのために第１の探索空間を、および前記第２の制御チャネルのために第２の探索空間を構成するようにさらに構成され、前記第１と前記第２の探索空間とがリソースの前記共通セットを共有する、請求項６０に記載の装置。
【請求項６２】
前記第２の探索空間は、前記第１の探索空間からオフセットされる、請求項６１に記載の装置。
【請求項６３】
前記第１の制御チャネルが、前記第１のコンポーネントキャリアに対応するキャリア指示情報を備え、前記第１のコンポーネントキャリアに対応する前記キャリア指示情報の値が、前記第１と前記第２のタイプの制御チャネルとの両方のための前記第１のコンポーネントキャリアを識別する、請求項５６に記載の装置。
【請求項６４】
前記第２のコンポーネントキャリアに対応する前記キャリア指示情報の前記値は、無線リソース制御（ＲＲＣ）構成に基づいて前記第２の制御チャネル中に含まれる、請求項５６に記載の装置。
【請求項６５】
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、請求項５６に記載の装置。
【請求項６６】
前記少なくとも１つのプロセッサが、前記第２の制御チャネルのためにＵＥ固有探索空間を構成するようにさらに構成された、請求項５６に記載の装置。
【請求項６７】
第１のコンポーネントキャリアと第２のコンポーネントキャリアとを受信するためのコードと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するためのコードと
を備えるコンピュータ可読媒体
を備える、コンピュータプログラム製品。
【請求項６８】
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するためのコードと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信するためのコードと
を備えるコンピュータ可読媒体を備える、コンピュータプログラム製品。
【発明の詳細な説明】
【技術分野】
【０００１】
関連出願の相互参照
[0001]本出願は、その全体が参照により本明細書に明確に組み込まれる、２０１２年１１月２日に出願された「MANAGING CROSS-CARRIER SCHEDULING IN CARRIER AGGREGATION WITH EPDCCH IN LTE」と題する米国仮出願第６１／７２２，１０３号、および２０１３年８月１２日に出願された「MANAGING CROSS-CARRIER SCHEDULING IN CARRIER AGGREGATION WITH EPDCCH IN LTE」と題する米国特許出願第１３／９６５，０４７号の利益を主張する。
【０００２】
[0002]本開示は、一般に通信システムに関し、より詳細には、ワイヤレスアクセスネットワークにおいてキャリアアグリゲーションが使用されるときのリソーススケジューリングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]キャリアアグリゲーションをサポートするネットワークにおいて物理ダウンリンク制御チャネル（ＰＤＣＣＨ：physical downlink control channel）と拡張物理ダウンリンク制御チャネル（ＥＰＤＣＣＨ：enhanced physical downlink control channel）の両方が採用されたときのクロスキャリアスケジューリングのための、ワイヤレス通信のための方法、装置、およびコンピュータプログラム製品が提供される。一態様では、本装置は、第１のコンポーネントキャリアと第２のコンポーネントキャリアとを受信し、ここで、第１のコンポーネントキャリアは、第１の制御チャネルと、第２の制御チャネルと、キャリア指示情報とを含む。第１の制御チャネルは第１のコンポーネントキャリアに対応する。第２の制御チャネルおよびキャリア指示情報は第２のコンポーネントキャリアに対応する。第２の制御チャネルは、少なくとも第１のタイプ（たとえば、ＰＤＣＣＨ）または第２のタイプの制御チャネル（たとえば、ＥＰＤＣＣＨ）のうちの１つであり、キャリア指示情報は、第１のタイプの制御チャネルと第２のタイプの制御チャネルの両方のための第２のコンポーネントキャリアを識別する。本装置は、次いで第１の制御チャネルと第２の制御チャネルとを処理する。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]異種ネットワーク中の範囲拡大セルラー領域を示す図。
【図８】[0013]クロスキャリアスケジューリングにおけるＵＥ固有探索空間を示す図。
【図９】[0014]第１のコンポーネントキャリアと第２のコンポーネントキャリアとのサブフレームを示す図。
【図１０】[0015]第１のコンポーネントキャリアと第２のコンポーネントキャリアとのサブフレームを示す図。
【図１１】[0016]第１のコンポーネントキャリアと第２のコンポーネントキャリアとのサブフレームを示す図。
【図１２】[0017]ワイヤレス通信の方法のフローチャートを含む図。
【図１３】[0018]ワイヤレス通信の方法のフローチャートを含む図。
【図１４】[0019]例示的な装置中の異なるモジュール／手段／構成要素間のデータフローを示す概念データフロー図。
【図１５】[0020]処理システムを採用する装置のためのハードウェア実装形態の一例を示す図。
【図１６】[0021]ワイヤレス通信の方法のフローチャートを含む図。
【図１７】[0022]ワイヤレス通信の方法のフローチャートを含む図。
【図１８】[0023]例示的な装置中の異なるモジュール／手段／構成要素間のデータフローを示す概念データフロー図。
【図１９】[0024]処理システムを採用する装置のためのハードウェア実装形態の一例を示す図。
【発明を実施するための形態】
【０００７】
[0025]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0026]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【０００９】
[0027]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0028]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0029]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0030]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0031]ｅＮＢ１０６は、（たとえば、Ｓ１インターフェースによって）ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
[0032]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0033]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））、ならびにＴＤ−ＳＣＤＭＡ、ＴＤＭＡを採用するモバイル通信用グローバルシステム（ＧＳＭ（登録商標）：Global System for Mobile Communications）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷＩＭＡＸ（登録商標））、ＩＥＥＥ８０２．２０、およびＯＦＤＭＡを採用するＦｌａｓｈ−ＯＦＤＭなど、ＣＤＭＡの他の変形態を採用するユニバーサル地上波無線アクセス（ＵＴＲＡ：Universal Terrestrial Radio Access）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および
多元接続技術は、特定の適用例およびシステムに課された全体的な設計制約に依存することになる。
【００１６】
[0034]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0035]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００１８】
[0036]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0037]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素（ＲＥ：resource element）に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0038]図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0039]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0040]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0041]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0042]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0043]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順序が乱れた受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２６】
[0044]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２７】
[0045]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0046]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0047]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３０】
[0048]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0049]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0050]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0051]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0052]コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0053]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００３６】
[0054]ＬＴＥのコンテキストでは、ＵＥは、キャリアアグリゲーション（ＣＡ：carrier aggregation）のために最高５つのコンポーネントキャリア（ＣＣ：component carrier）を扱うように構成され得、ここで、コンポーネントキャリアのうちの１つが１次ＣＣ（ＰＣＣ：primary CC）に指定され、残りのコンポーネントキャリアは２次ＣＣ（ＳＣＣ：secondary CC）と呼ばれる。ＣＡを用いるＵＥのためにクロスキャリアスケジューリングがサポートされ得、ここで、ＰＣＣまたはＳＣＣであり得る（スケジューリングＣＣ（scheduling CC）とも呼ばれる）異なるＣＣ上の物理ダウンリンク制御チャネル（ＰＤＣＣＨ）によって、（スケジュールドＣＣ（scheduled CC）とも呼ばれる）ＳＣＣ上でＰＤＳＣＨがスケジュールされ得る。この場合、スケジューリングＣＣとスケジュールドＣＣの両方のためのダウンリンク制御情報（ＤＣＩ：downlink control information）中に３ビットクロスキャリアインジケータフィールド（ＣＩＦ：cross-carrier indicator field）が含まれ得る。スケジューリングＣＣは、それ自体のためにだけでなく、スケジューリングＣＣによってクロススケジュールされるＣＣのためにも、ＵＥ固有探索空間を含み得る。２つ以上の異なるＣＣ上でのＰＤＳＣＨ送信のための２つ以上のＵＥ固有探索空間は、各それぞれのＣＣのために構成されたＣＩＦに応じて変化し得、実際的な場合、２つ以上のＣＣ間の探索空間重複を回避するように設計され得る。
【００３７】
[0055]ＤＣＩはＰＤＣＣＨ中で搬送され得る。ＤＣＩは、ＵＥまたはＵＥのグループのための送信リソース割当ておよび他の制御情報を含み得る。ＰＤＣＣＨは、サブフレーム中の最初のいくつかのシンボル中にあり、システム帯域幅全体にわたって十分に分散される。ＰＤＣＣＨはＰＤＳＣＨと時分割多重化される。ＰＤＣＣＨはサブフレーム中で送信され、サブフレームは制御領域とデータ領域とに効果的に分割される。
【００３８】
[0056]拡張ＰＤＣＣＨ（ＥＰＤＣＣＨ）は、周波数領域ベースのセル間干渉協調を可能にすることができ、キャリア上のＥＰＤＣＣＨの存在はサブフレーム依存であり得、常にすべてのサブフレーム中にＥＰＤＣＣＨが存在するとは限らない。
【００３９】
[0057]ＰＤＣＣＨはサブフレーム中の最初のいくつかの制御シンボルを占有するが、ＥＰＤＣＣＨは、ＰＤＳＣＨと同様に、サブフレームのデータ領域を占有する。制御チャネル容量の増加、周波数領域セル間干渉協調（ＩＣＩＣ：inter-cell interference coordination）のサポート、制御チャネルリソースの空間再利用の改善、ならびにビームフォーミングおよび／またはダイバーシティのサポートを含む、いくつかの拡張がＥＰＤＣＣＨによって可能にされ得る。その上、ＥＰＤＣＣＨは、追加のニューキャリアタイプにおいて、およびマルチキャストブロードキャスト単一周波数ネットワーク（ＭＢＳＦＮ：multicast-broadcast single frequency network）のサブフレームにおいて使用され得る。一般に、ＥＰＤＣＣＨは、ＰＤＣＣＨから制御情報を取得するように構成されたレガシーＵＥと同じキャリア上に共存することができる。
【００４０】
[0058]いくつかの態様では、ＥＰＤＣＣＨの局所送信と分散送信の両方がサポートされる。（復調基準信号「ＤＭ−ＲＳ：demodulation reference signal」とも呼ばれる）ユーザ機器基準信号（ＵＥ−ＲＳ：user equipment - reference signal）ベースのｅＰＤＣＣＨがサポートされ得る。ＵＥ−ＲＳはアンテナポート１０７、１０８、１０９、および１１０を使用し得るが、ＰＤＳＣＨはアンテナポート７〜１４を利用する。
【００４１】
[0059]ＥＰＤＣＣＨは周波数分割多重化（ＦＤＭ）に基づき、サブフレームの第１のスロットと第２のスロットの両方にわたる。ＵＥのための処理要件の緩和が達成され得るように、送信時間間隔（ＴＴＩ：transmission time interval）中に受信可能なトランスポートチャネル（ＴｒＣＨ：transport channel）ビットの最大数に制限がかけられ得る。たとえば、ＴＴＩ中に受信可能なＴｒＣＨビットの最大数への制限は、ＵＥ能力に、またはある条件（たとえば、ＲＴＴ＞１００μｓであるとき）が満たされるかどうかに依存し得る。物理リソースブロック（ＰＲＢ：physical resource block）ペア内のＰＤＳＣＨとＥＰＤＣＣＨとの多重化は許容されないことがある。一例では、ＰＲＢは、周波数領域中に１２個のサブキャリアを備え、時間領域中に１つのタイムスロット（０．５ｍｓ）を備える送信リソースのユニットとして構成され得る。
【００４２】
[0060]他の信号と衝突するＲＥは、一般にＥＰＤＣＣＨのために使用されない。コーディングチェーンレートマッチングが、セル固有基準信号（ＣＲＳ）のために、およびニューキャリアタイプ（ＮＣＴ：new carrier type）上の新しいアンテナポートのために使用され得る。コーディングチェーンレートマッチングはまた、物理ブロードキャストチャネル（ＰＢＣＨ：physical broadcast channel）、ならびにこれらのＰＲＢペア中のＥＰＤＣＣＨ送信がサポートされるときのＰＳＳおよび／または２次同期信号（ＳＳＳ：secondary synchronization signal）のためのレガシー制御領域（ＰＤＳＣＨ開始位置までの領域）のために使用され得る。コーディングチェーンレートマッチングはまた、ＥＰＤＣＣＨを受信するＵＥのために構成された０電力（ＺＰ：zero power）および非０電力（ＮＺＰ：non-zero power）チャネル状態情報基準信号（ＣＳＩ−ＲＳ：channel state information reference signal）の周りに使用され得る。
【００４３】
[0061]ＵＥが第１のキャリア上でＥＰＤＣＣＨ  ＵＥ探索空間（ＵＳＳ：UE search space）を監視するサブフレームでは、ＵＥは一般に、同じキャリア上でＰＤＣＣＨ  ＵＳＳを監視しない。構成は、特定のサブフレーム中で局所ＥＰＤＣＣＨ候補が監視されるのか分散ＥＰＤＣＣＨ候補が監視されるのかを定義し得る。ＵＥはまた、一般に、ＰＤＣＣＨ上で共通探索空間（ＣＳＳ：common search space）を監視する。代替的に、ＵＥは、ｅＰＤＣＣＨ上のＣＳＳがサブフレーム中で、たとえば、ニューキャリアタイプにおいてサポートされる場合、ｅＰＤＣＣＨ上でＣＳＳを監視し得る。ＵＥは、サブフレーム中で局所ＥＰＤＣＣＨ候補と分散ＥＰＤＣＣＨ候補の両方を監視するように構成され得る。ＵＥがサブフレーム中で局所ＥＰＤＣＣＨ候補と分散ＥＰＤＣＣＨ候補の両方を監視するように構成された場合、キャリア上のＵＳＳブラインド復号の総数は増加しないことがある。
【００４４】
[0062]ＥＰＤＣＣＨ  ＵＳＳがＵＥによってその中で監視されるサブフレームは、ネットワーキング規格によってあらかじめ定義され得る。一例では、ノーマルサイクリックプレフィックス（ＣＰ：cyclic prefix）のために０および５の構成をもち、拡張ＣＰのために０および４をもつ非特殊サブフレームでは、ＥＰＤＣＣＨはＵＥによって監視されないことがある。監視されるサブフレームは、上位レイヤシグナリングによっても構成され得る。ＥＰＤＣＣＨを監視するために構成されていないサブフレームでは、ＵＥは、ＰＤＣＣＨ上でＣＳＳおよび／またはＵＳＳを監視し得る。
【００４５】
[0063]ＵＥは、Ｋ個のＥＰＤＣＣＨリソースセット（ただしＫ≧１）、たとえば最高２つのセットで構成され得る。ＥＰＤＣＣＨリソースセットはＮ個のＰＲＢペアのグループとして定義され得、各ＥＰＤＣＣＨリソースセットはそれ自体のサイズ（たとえば、２、４または８個のＰＲＢペア）を定義し得る。ブラインド復号試行の総数はＫとは無関係であり、ＵＥのための全ブラインド復号試行は、構成されたＫ個のＥＰＤＣＣＨリソースセットにスプリットされ得る。各ＥＰＤＣＣＨリソースセットは、局所ｅＰＤＣＣＨのために構成されるか、または分散ｅＰＤＣＣＨのために構成され得る。異なる論理ＥＰＤＣＣＨセットインデックスをもつＥＰＤＣＣＨリソースセットのＰＲＢペアは、完全に重複するか、部分的に重複することができ、または重複しないことがある。
【００４６】
[0064]ＰＤＳＣＨ  ＵＥ−ＲＳのために定義された同じスクランブルシーケンス発生器は、ＥＰＤＣＣＨ  ＵＥ−ＲＳのために使用され得る。一例では、ポート１０７〜１１０上のＥＰＤＣＣＨのためのＵＥ−ＲＳのスクランブルシーケンス発生器は、次式によって初期化される。
【数１】
2018207509.tif 000003
【００４７】
ただし、ｃinitは初期化値を表し、ｎsは無線フレーム内のスロット番号を表し、Ｘは候補値を表し、ｎSCIDはスクランブリング識別子を表す。たとえば、Ｘは、セットごとに１つの値ずつ、ＵＥ固有上位レイヤシグナリングによって構成され得、第２のセットのためのＸのデフォルト値は、第１のセットのための値と同じであり得る。
【００４８】
[0065]ＥＰＤＣＣＨのために開始シンボルが事前構成され得る。開始シンボルは、セル上で送られるｅＰＤＣＣＨのためのＯＦＤＭ開始シンボルを示すために送信され得る、セルごとの上位レイヤシグナリングによって構成され得、そのセル上のＰＤＳＣＨはＥＰＤＣＣＨによってスケジュールされ得る。開始シンボルが与えられない場合、ＥＰＤＣＣＨと、ＥＰＤＣＣＨによってスケジュールされるＰＤＳＣＨとの開始ＯＦＤＭシンボルは、一般に物理制御フォーマットインジケータチャネル（ＰＣＦＩＣＨ：physical control format indicator channel）から導出される。ＯＦＤＭ開始シンボルの単一の値は、２つのセットが構成されたとき、両方のＥＰＤＣＣＨリソースセットに適用可能であり得る。代替的に、ＯＦＤＭ開始シンボルは、Ｋ個のＥＰＤＣＣＨリソースセットの各々のために別々に構成され得る。
【００４９】
[0066]ＥＰＤＣＣＨとともに擬似コロケーション（ＱＣＬ：quasi-collocation）が使用され得る。ＵＥは上位レイヤシグナリングによって構成され得、ＥＰＤＣＣＨ  ＵＥ−ＲＳとして擬似コロケーション仮定を示すためにＱＣＬ−ＣＳＩ−ＲＳ−インデックスが送信され得る。ＱＣＬ−ＣＳＩ−ＲＳ−インデックスはＥＰＤＣＣＨリソースセットごとに構成され得る。シグナリングが与えられたとき、ＥＰＤＣＣＨリソースセット内のすべてのＥＰＤＣＣＨ  ＵＥ−ＲＳポートが、遅延拡散、ドップラー拡散、ドップラー偏移、および／または平均遅延に関してＱＣＬ−ＣＳＩ−ＲＳ−インデックスによって示されたＣＳＩ−ＲＳリソースと擬似コロケートされると仮定され得ることを除いて、ＥＰＤＣＣＨ  ＵＥ−ＲＳポートは、一般にいずれかのＲＳポートと擬似コロケートされるとは仮定されないことがある。ＱＣＬ−ＣＳＩ−ＲＳ−インデックスは、多地点協調（ＣｏＭＰ）測定セットからの非０電力ＣＳＩ−ＲＳリソースに対応することに留意されたい。
【００５０】
[0067]シグナリングが与えられないとき、すべてのＥＰＤＣＣＨ  ＵＥ−ＲＳポートは、遅延拡散、ドップラー拡散、ドップラー偏移、および／または平均遅延に関してサービングセルのためのＣＲＳと擬似コロケートされると仮定され得る。
【００５１】
[0068]ＥＰＤＣＣＨは拡張制御チャネル要素（ｅＣＣＥ：enhanced control channel element）上で送信される。ｅＣＣＥは、分散送信と局所送信とにおいてＮ個拡張リソース要素グループ（ｅＲＥＧ：enhanced resource element group）によって形成され得る。（ノーマルＣＰをもつ）ノーマルサブフレームまたは（ノーマルＣＰをもつ）特殊サブフレーム構成３、４、８では、Ｎは４に設定され得る。たとえば、Ｎが４に設定されたとき、局所送信においてＰＲＢペアごとに４つのｅＣＣＥが使用される。（ノーマルＣＰをもつ）特殊サブフレーム構成１、２、６、７、９、（拡張ＣＰをもつ）ノーマルサブフレーム、および（拡張ＣＰをもつ）特殊サブフレーム構成１、２、３、５、６では、Ｎは８に設定され得る。たとえば、Ｎが８に設定されたとき、局所送信においてＰＲＢペアごとに２つのｅＣＣＥが使用される。
【００５２】
[0069]（ノーマルＣＰをもつ）ノーマルサブフレームまたは（ノーマルＣＰをもつ）特殊サブフレーム構成３、４、８では、ＰＲＢペア中の利用可能なＲＥがＸthreshよりも少ない場合、ＥＰＤＣＣＨのためにサポートされるアグリゲーションレベルは、局所ｅＰＤＣＣＨのための２、４、８（作業仮定：実現可能な探索空間設計に従う１６）と、分散ｅＰＤＣＣＨのための２、４、８、１６（作業仮定：実現可能な探索空間設計に従う３２）とを含む。すべての他の場合、サポートされるアグリゲーションレベルは、局所ｅＰＤＣＣＨのための１、２、４（作業仮定：実現可能な探索空間設計に従う８）と、分散ｅＰＤＣＣＨのための１、２、４、８（作業仮定：実現可能な探索空間設計に従う１６）とを含む。
【００５３】
[0070]Ｘthreshと比較するために使用される利用可能なＲＥの数、すなわち、Ｘthresh＝１０４であるときにＥＰＤＣＣＨのためにサポートされるアグリゲーションレベルは、他のＵＥのためのＣＳＩ−ＲＳ構成ではなく、ＵＥ固有ＣＳＩ−ＲＳ構成を考慮することによってＵＥの観点から計数される。ＣＣごとのＥＰＤＣＣＨ  ＵＳＳブラインド復号の総数は、一般に、ＵＬ  ＭＩＭＯの構成に応じて３２または４８である。
【００５４】
[0071]ＰＤＣＣＨとともにキャリアアグリゲーションが使用されるとき、ＣＳＳは、一般にＰＣＣ上でのみ定義される。ＳＣＣなど、他のＣＣのシステム情報は専用シグナリングを介して搬送され得る。クロスキャリアシグナリングが関与しない場合、ＵＥ固有探索空間が適用され得る。
【００５５】
[0072]クロスキャリアシグナリングが採用されたとき、ＰＤＣＣＨ  ＣＣとＰＤＳＣＨ／ＰＵＳＣＨ  ＣＣは異なり得る。１つの上位レイヤ構成ＰＤＣＣＨ  ＣＣがＰＤＳＣＨ／ＰＵＳＣＨ  ＣＣをスケジュールし得る。ペアになったＰＤＳＣＨ  ＣＣとＰＵＳＣＨ  ＣＣは、一般に、異なるＰＤＣＣＨ  ＣＣからではなく、常に同じＰＤＣＣＨ  ＣＣからスケジュールされる。
【００５６】
[0073]必要とされるＤＣＩおよびＰＤＣＣＨフォーマット、ＰＤＣＣＨスクランブル、変調、プリコーディングおよびレイヤマッピングに従って、ＤＣＩメッセージが生成され、チャネルコーディングされ得る。得られたシンボルは、ＲＥＧおよび／または制御チャネル要素（ＣＣＥ：control channel element）を備え得るＲＥ上にマッピングされ得る。ＵＥは、ＰＤＣＣＨを監視し、他のＵＥに関連する情報からそれ自体の制御情報を抽出する。詳細な制御チャネル構造は一般にＵＥに与えられず、ＵＥは、制御領域のブラインド復号を試み得る。
【００５７】
[0074]ＣＣ上のＰＤＣＣＨは、一般に同じＣＣ上でＰＤＳＣＨとＰＵＳＣＨとをスケジュールしなければならない。その結果、クロスキャリアスケジューリング下のＰＤＣＣＨ  ＣＣは２つ以上のＵＥ固有探索空間を有し得る。２つ以上のＵＥ固有探索空間は従来の方法で導出され得、さらに３ビットＣＩＦに応じて変化し得る。ＵＥ固有探索空間は、重複することも重複しないこともある。ＣＡシステムでは、クロスキャリアスケジューリングは、異なるＣＣ上で送信されるＰＤＣＣＨからのＳＣＣ上にリソースをスケジュールするために使用される。ＰＤＣＣＨ上のＣＩＦは、スケジュールされたリソースがどのキャリア上に位置するかを示す。
【００５８】
[0075]図８に、クロスキャリアスケジューリングにおけるＵＥ固有探索空間を示す。図８の構成では、特定のアグリゲーションレベル（１／２／４／８）が仮定される。ＵＥは、ＵＥが、制御チャネルの数と、各制御チャネルがマッピングされたＣＣＥの数とを含む、詳細な制御チャネル構造に気づいていないとき、ブラインド復号を実行するように要求される。ブラインド復号の最大数は、ＣＣの数とともに線形的に増加する。
【００５９】
[0076]いくつかの態様は、キャリアアグリゲーションを用いるＵＥのためにＥＰＤＣＣＨが構成されたとき、クロスキャリアスケジューリングが与えられるシステムおよび方法を提供する。いくつかの態様では、ＰＤＣＣＨをもサポートするＣＡベースのシステムにおいてＥＰＤＣＣＨが使用される。
【００６０】
[0077]いくつかの態様では、ＵＥは、ＳＣＣについてＥＰＤＣＣＨを監視しないように構成される。すなわち、ＳＣＣは、ＳＣＣのためのＤＬおよびＵＬ送信をスケジュールするためにＰＤＣＣＨのみに依拠する。この場合、ＵＥが１つまたは複数の他のＣＣについてＥＰＤＣＣＨを監視するように構成された場合でも、クロスキャリアスケジューリングは構成され得る。言い換えれば、ＳＣＣがＵＥのためにＥＰＤＣＣＨで構成されない場合は、ＵＥが他のＣＣのためにＥＰＤＣＣＨで構成されるか否かにかかわらず、レガシーＰＤＣＣＨに基づくクロスキャリアスケジューリングがＳＣＣのためにサポートされなければならない。
【００６１】
[0078]一態様では、ＳＣＣはＥＰＤＣＣＨで構成され、ＥＰＤＣＣＨは、すべてのダウンリンクサブフレーム中に存在するように構成される。一例では、ＳＣＣのためのＥＰＤＣＣＨは、特に別のＣＣがあまり干渉を受けない場合、その別のＣＣ上で送信され得る。この場合、ＥＰＤＣＣＨはクロスキャリアスケジューリングの下にあり、３ビットＣＩＦがＥＰＤＣＣＨ中に含まれ得る。別の例では、ＣＩＦはＥＰＤＣＣＨに与えられず、ＥＰＤＣＣＨはＳＣＣ上で送信される。別の例では、ＣＩＦはＥＰＤＣＣＨに与えられず、ＥＰＤＣＣＨはＳＣＣ以外のＣＣ上で送信される。
【００６２】
[0079]一態様では、ＳＣＣはＥＰＤＣＣＨで構成され、ＥＰＤＣＣＨは、ＳＣＣのためのダウンリンクサブフレームのサブセットのために構成される。一例では、ＰＤＣＣＨはスケジューリングＣＣ上でＣＩＦとともに送信され、ＥＰＤＣＣＨはＳＣＣ上でＣＩＦなしに送信される。この例では、ＵＥは、ＳＣＣ上のＰＤＳＣＨ送信に対応する異なるＣＣ上でレガシーＰＤＣＣＨおよびＥＰＤＣＣＨを監視する必要があり得る。スケジューリングセルのいくつかのサブフレームは、ＰＤＣＣＨを使用する他のＣＣのためのクロスキャリアスケジューリングを含まないことがあり、このサブフレーム中の３ビットＣＩＦは有用でないことがある。
【００６３】
[0080]図９は、（「ＣＣ１」とも呼ばれる）第１のＣＣと（「ＣＣ２」とも呼ばれる）第２のＣＣとのサブフレームを示す図９００である。図９の構成では、ＣＣ１はスケジューリングＣＣであり、ＣＣ２はスケジュールドＣＣである。代替的に述べると、ＣＣ２は、ＣＣ１によってクロスキャリアスケジュールされる。
【００６４】
[0081]図９を参照すると、サブフレーム１において、ＣＣ２は、ＣＣ１の領域９０２中で送信されるレガシー制御チャネルおよびＣＩＦを介してクロスキャリアスケジュールされる。たとえば、レガシー制御チャネルはＰＤＣＣＨであり得、ＣＩＦは、ＣＣ２に対応する３ビット値（たとえば、「００１」）であり得る。サブフレーム２において、ＣＣ１は、ＣＣ１の領域９０４中で送信されるレガシー制御チャネルを介してスケジュールされ、ＣＣ２は、ＣＣ２の領域９０６中で送信される新しい制御チャネルを介してスケジュールされる。たとえば、レガシー制御チャネルはＰＤＣＣＨであり得、新しい制御チャネルはＥＰＤＣＣＨであり得る。
【００６５】
[0082]一態様では、図９のサブフレーム１において、ＣＣ１は、ＣＣ１とＣＣ２の両方のためのＵＥ固有探索空間を含んでいることがあり、ＣＩＦは、これらの２つのＣＣのための探索空間を区別するために必要であり得る。しかしながら、サブフレーム２において、ＣＣ１は、ＣＣ１のみのためのＵＥ固有探索空間を含んでいることがあり、したがって、ＣＩＦは不要であり得る。したがって、リソースを維持するためにサブフレーム１中にはＣＩＦを含んでいるが、サブフレーム２中でＣＣ１のためのＤＣＩ中のＣＩＦ（たとえば、３ビットＣＩＦ）を削除することが可能である。したがって、いくつかの態様では、ＰＤＣＣＨを使用するスケジューリングセル上のサブフレーム中のＣＩＦの存在はサブフレーム依存であり得る。代替的に、ＣＩＦは、簡単のためにＣＣ１上のすべてのサブフレーム中に含まれる。
【００６６】
[0083]図１０は、ＣＣ１とＣＣ２とのサブフレームを示す図１０００である。一態様では、ＣＩＦをもつＰＤＣＣＨと、ＣＩＦをもつＥＰＤＣＣＨとが送信され得、ＰＤＣＣＨとＥＰＤＣＣＨの両方のためにクロスキャリアスケジューリングが有効化され得る。図１０の矢印は、所与のダウンリンク制御チャネルによってスケジュールされるＣＣを示す。たとえば、図１０のサブフレーム１において、ＣＣ２は、ＣＣ１の領域１００２中で送信されるレガシー制御チャネル（たとえば、ＰＤＣＣＨ）およびＣＩＦを介してクロスキャリアスケジュールされ得る。サブフレーム２において、ＣＣ２は、ＣＣ１の領域１００４中で送信される新しい制御チャネル（たとえば、ＥＰＤＣＣＨ）およびＣＩＦを介してクロスキャリアスケジュールされ得る。一態様では、スケジューリングＣＣ（たとえば、図１０のＣＣ１）とスケジュールドＣＣ（たとえば、図１０のＣＣ２）の両方が、同じサブフレーム中のＥＰＤＣＣＨ（たとえば、サブフレーム３中のＥＰＤＣＣＨ１００６）で構成され得る。この例では、これらの２つのＣＣが、２つのＵＥ固有探索空間（ＣＣ１のためのＵＥ固有探索空間およびＣＣ２のためのＵＥ固有探索空間）を定義するために、ＣＣ１のために構成された同じＥＰＤＣＣＨリソース構成を共有することが可能である。代替的に、ＵＥは、ＣＣ１とＣＣ２とのために２つの別個のＥＰＤＣＣＨリソース構成で構成され得る。いずれの場合も、これらの２つのＣＣの探索空間重複を回避するために、２つのＵＥ固有探索空間の間の何らかのオフセットが与えられ得る。さらに、ＣＣ１のＥＰＤＣＣＨとＣＣ２のＥＰＤＣＣＨとのために、両方とも同じＣＣ（この例ではＣＣ１）上にあるので、同じレートマッチングおよび／または擬似コロケーション動作が指定され得る。
【００６７】
[0084]ＥＰＤＣＣＨのためにＣＩＦがサポートされるとき、スケジューリングセルとクロスキャリアスケジュールドＳＣＣとのために異なる探索空間が定義され得る。一例では、スケジューリングセルのために指定された１つまたは複数のリソースセットが、スケジューリングセルによってスケジュールされるすべてのＣＣの間で共有され得る。異なるＣＣのための探索空間を分離するためにＣＣ固有探索空間オフセットが導入され得る。したがって、ＥＰＤＣＣＨが同じＣＣから送信され、同じＱＣＬ仕様が定義され得るという条件で、対応するＰＤＳＣＨが異なるＣＣ上にあり得る場合でも、ＱＣＬ定義はＣＣ非依存であり得る。別の例では、スケジューリングＣＣとスケジュールドＣＣとのために１つまたは複数の別個のリソースセットが指定される。この例では、何らかのＣＣ固有探索空間オフセットが依然として導入され得、ＱＣＬ定義が依然としてＣＣ非依存で定義され得る。
【００６８】
[0085]一態様では、ＳＣＣがＵＥのためにレガシーＰＤＣＣＨでクロスキャリアスケジュールされるように構成された場合、ＥＰＤＣＣＨは、ＵＥのためのＳＣＣ上で構成されないことがある。一態様では、ＳＣＣがＵＥのためにＥＰＤＣＣＨで構成されたとき、レガシーＰＤＣＣＨを用いたクロスキャリアスケジューリングは、ＵＥのためにＳＣＣについて許容されないことがある。たとえば、ＳＣＣは、それがＵＥのためにＥＰＤＣＣＨで構成された場合、クロスキャリアスケジュールされないことがある。
【００６９】
[0086]図１１は、ＣＣ１とＣＣ２とのサブフレームを示す図１１００である。図１１を参照すると、ＣＣ２（たとえば、ＳＣＣ）上のサブフレームにおいて、ＥＰＤＣＣＨが構成されないとき（たとえば、サブフレーム１）、ＵＥは、代わりに制御領域１１０２中のＰＤＣＣＨ  ＵＥ固有探索空間を監視し得る。しかしながら、制御領域１１０２は、ＵＥの観点から圧倒的なセル間干渉を受け得るので、ＵＥは、代替的に、ＳＣＣ上でＥＰＤＣＣＨによって構成されないサブフレーム中のＰＤＣＣＨの監視をスキップし得る。ＥＰＤＣＣＨはサブフレーム依存であり得、サブフレームがＥＰＤＣＣＨを有しないとき、ＵＥは代わりにＰＤＣＣＨを監視し得る。たとえば、図１１のサブフレーム２に関して、ＵＥは、ＣＣ１上の領域１１０４中で送信されるＰＤＣＣＨを監視し得、ＣＣ２上の領域１１０６中で送信されるＥＰＤＣＣＨを監視し得る。しかしながら、いくつかの態様では、ＵＥは、サブフレーム中の制御を復号することをスキップし得る。ＵＥは、（たとえば、サブフレームが強い干渉を受けるか否かを検出することによって）シグナリングを介してまたは実装を介してサブフレーム中のレガシー制御を監視することをスキップすべきかどうかを判断することができる。
【００７０】
[0087]代替態様では、クロスキャリアスケジューリングはＥＰＤＣＣＨのために使用され得る。ＳＣＣのためのＥＰＤＣＣＨのためにクロスキャリアスケジューリングが採用されるとき、ＳＣＣのためのＰＤＣＣＨとＥＰＤＣＣＨとは、クロスキャリアスケジューリングに関して同じに扱われ得る。たとえば、ＥＰＤＣＣＨおよびＰＤＣＣＨは、同じＣＩＦ定義を有し得、クロスキャリアスケジュールドＳＣＣのためのクロスキャリアスケジューリングを有効化／無効化する同じシグナリングの下にあり得る。スケジュールドＳＣＣのためのＰＤＣＣＨとＥＰＤＣＣＨの両方は同じスケジューリングＣＣ上で送信され得る。たとえば、図１０を参照すると、ＣＣ２は、ＣＣ１の制御領域１００２中で送信されるＰＤＣＣＨおよびＣＩＦを介してサブフレーム１においてクロスキャリアスケジュールされ得る。そのような例では、ＣＩＦは、ＣＣ２に対応する３ビット値であり得る。サブフレーム２では、ＣＣ２は、ＣＣ１の領域１００４中で送信されるＥＰＤＣＣＨおよびＣＩＦを介してクロスキャリアスケジュールされ得る。そのような例では、サブフレーム２中のＥＰＤＣＣＨを介してＣＣ２をクロスキャリアスケジュールするために使用されるＣＩＦは、サブフレーム１中のＰＤＣＣＨを介してＣＣ２をクロスキャリアスケジュールするために使用されるＣＣ２に対応する同じ３ビット値であり得る。
【００７１】
[0088]図１２は、ワイヤレス通信の方法のフローチャート１２００を含む。本方法はＵＥによって実行され得る。
【００７２】
[0089]ステップ１２０２において、ＵＥは、第１のコンポーネントキャリアと第２のコンポーネントキャリアとを受信する。第１のコンポーネントキャリアは、第１のコンポーネントキャリアに対応する第１の制御チャネルを含み得、第２のコンポーネントキャリアに対応する第２の制御チャネルとキャリア指示情報とをさらに含み得る。他の態様では、ＵＥは、より大きい数のコンポーネントキャリアを受信し得る。
【００７３】
[0090]第２の制御チャネルは、いくつかのタイプの制御チャネルのうちの１つであり得る。たとえば、第２の制御チャネルは、レガシータイプの制御チャネル（たとえば、ＰＤＣＣＨ）または新しいタイプの制御チャネル（たとえば、ＥＰＤＣＣＨ）であり得る。第２のコンポーネントキャリアに対応する（「ＣＩＦ」とも呼ばれる）キャリア指示情報の値は、これらのいくつかのタイプの制御チャネルをサポートし得る。一態様では、キャリア指示情報の値は、第１のタイプの制御チャネルと第２のタイプの制御チャネルの両方のための第２のコンポーネントキャリアを識別する。たとえば、第２のコンポーネントキャリアに対応するキャリア指示情報は３ビット値（たとえば、「００１」）として表され得、そのような３ビット値は、制御チャネルがレガシータイプの制御チャネル（たとえば、ＰＤＣＣＨ）または新しいタイプの制御チャネル（たとえば、ＥＰＤＣＣＨ）であるときに採用され得る。一態様では、第２のコンポーネントキャリアに対応するキャリア指示情報の値は、ＲＲＣ構成に基づいて第２の制御チャネル中に含まれ得る。
【００７４】
[0091]一態様では、第２の制御チャネルは、第１のサブフレーム中の第１のタイプの制御チャネルであり得、第２のサブフレーム中の第２のタイプの制御チャネルであり得る。たとえば、図１０を参照すると、第２の制御チャネルは、サブフレーム１中の領域１００２中で受信されるＰＤＣＣＨであり得、サブフレーム２中の領域１００４中で受信されるＥＰＤＤＣＨであり得る。
【００７５】
[0092]一態様では、第１の制御チャネルは、第１のコンポーネントキャリアに対応するキャリア指示情報を含み得る。そのような態様では、第１のコンポーネントキャリアに対応するキャリア指示情報の値が、第１のタイプの制御チャネルと第２のタイプの制御チャネルの両方のための第１のコンポーネントキャリアを識別する。
【００７６】
[0093]一態様では、第１のコンポーネントキャリアは１次コンポーネントキャリアとして構成され、第２のコンポーネントキャリアは２次コンポーネントキャリアとして構成され得る。別の態様では、第１のコンポーネントキャリアは第１の２次コンポーネントキャリアとして構成され、第２のコンポーネントキャリアは第２の２次コンポーネントキャリアとして構成され得る。
【００７７】
[0094]ステップ１２０４において、ＵＥは、第２の制御チャネルのために構成されたＵＥ固有探索空間を監視する。
【００７８】
[0095]ステップ１２０６において、第１の制御チャネルと第２の制御チャネルとがＥＰＤＣＣＨであり、リソースの共通セットが第１の制御チャネルと第２の制御チャネルとのために構成されたとき、ＵＥは、第１の制御チャネルのために構成された第１の探索空間と、第２の制御チャネルのために構成された第２の探索空間とを監視する。第１の探索空間と第２の探索空間とはリソースの共通セットを共有し得る。一態様では、第１の探索空間と第２の探索空間との間でオフセットが構成される。
【００７９】
[0096]ステップ１２０８において、ＵＥは、第１の制御チャネルと第２の制御チャネルとを処理する。たとえば、ＵＥは、第１の制御チャネルと第２の制御チャネルとの中に含まれる制御情報を判断するために第１の制御チャネルと第２の制御チャネルとを復号することによって、第１の制御チャネルと第２の制御チャネルとを処理し得る。
【００８０】
[0097]図１２において点線で示されたステップ１２０４および１２０６は随意の代替ステップを表すことを理解されたい。たとえば、一態様では、ステップ１２０２、１２０４、および１２０８は、ステップ１２０６を実行することなしに実行され得る。別の例として、一態様では、ステップ１２０２、１２０６、および１２０８は、ステップ１２０４を実行することなしに実行され得る。
【００８１】
[0098]図１３は、ワイヤレス通信の方法のフローチャート１３００を含む。本方法はＵＥによって実行され得る。
【００８２】
[0099]ステップ１３０２において、ＵＥは、ワイヤレスアクセスネットワーク中のＵＥにおいて複数のコンポーネントキャリアの構成を受信する。複数のコンポーネントキャリアのうちの少なくとも１つは１次コンポーネントキャリアとして構成され得、複数のコンポーネントキャリアのうちの少なくとも１つは２次コンポーネントキャリアとして構成され得る。複数のコンポーネントキャリアのうちの少なくとも１つは２次コンポーネントキャリアであり得る。
【００８３】
[0100]ステップ１３０４において、ＵＥは、制御チャネルのタイプに基づいて、複数のコンポーネントキャリアのうちの少なくとも１つのためにクロスキャリアスケジューリングがサポートされるかどうかを判断する。クロスキャリアスケジューリングがサポートされるかどうかを判断することは、セルから受信されたシグナリングに基づき得る。
【００８４】
[0101]ステップ１３０６において、ＵＥは、上記判断に基づいて、複数のコンポーネントキャリアのうちの少なくとも１つについて制御チャネルを監視する。
【００８５】
[0102]いくつかの態様では、ＵＥは、クロスキャリアスケジューリングがサポートされると判断されたとき、制御チャネルを使用して送信されるダウンリンク制御情報中に含まれるＣＩＦを判断する。
【００８６】
[0103]いくつかの態様では、制御チャネルのタイプは、レガシーＰＤＣＣＨとｅＰＤＣＣＨとのうちの少なくとも１つである。複数のコンポーネントキャリアのうちの少なくとも１つについて、レガシーＰＤＣＣＨのためにクロスキャリアスケジューリングがサポートされると判断され得、ＥＰＤＣＣＨのためにクロスキャリアスケジューリングがサポートされないと判断され得る。ＥＰＤＣＣＨが複数のコンポーネントキャリアのうちの少なくとも１つについて構成されない場合のみ、クロスキャリアスケジューリングは、複数のコンポーネントキャリアのうちの少なくとも１つについてレガシーＰＤＣＣＨのためにサポートされると判断され得る。クロスキャリアスケジューリングは、複数のコンポーネントキャリアのうちの少なくとも１つについてレガシーＰＤＣＣＨのためにサポートされると判断され得、レガシーＰＤＣＣＨは異なるコンポーネントキャリア上で送信され得る。ＥＰＤＣＣＨは、複数のコンポーネントキャリアのうちの少なくとも１つについてサポートされ得、複数のコンポーネントキャリアのうちの少なくとも１つ上で送信され得る。
【００８７】
[0104]いくつかの態様では、クロスキャリアスケジューリングは、複数のコンポーネントキャリアのうちの少なくとも１つについてレガシーＰＤＣＣＨとＥＰＤＣＣＨの両方のためにサポートされると判断され得る。複数のコンポーネントキャリアのうちの少なくとも１つについてのクロスキャリアスケジューリングは、レガシーＰＤＣＣＨとＥＰＤＣＣＨとのための共通定義を共有し得る。共通定義は、クロスキャリア指示フィールドの定義と、クロスキャリアスケジューリングを有効化または無効化するためのシグナリングと、複数のコンポーネントキャリアのうちの少なくとも１つについてレガシーＰＤＣＣＨとＥＰＤＣＣＨとを送信するための同じコンポーネントキャリアとのうちの少なくとも１つを含み得る。複数のコンポーネントキャリア中のコンポーネントキャリアは、２つ以上のコンポーネントキャリアのＥＰＤＣＣＨのための探索空間を含んでいることがある。探索空間は、ＥＰＤＣＣＨのために構成された共通リソースセットを共有し得る。探索空間は別々に構成されたリソースセットを有し得る。２つ以上のコンポーネントキャリアのためのＥＰＤＣＣＨは、共通レートマッチング動作と擬似コロケーション動作とのうちの少なくとも１つを共有し得る。
【００８８】
[0105]いくつかの態様では、ここにおいて、ＥＰＤＣＣＨが複数のコンポーネントキャリアのうちの少なくとも１つについて構成され得、クロスキャリアスケジューリングは、複数のコンポーネントキャリアのうちの少なくとも１つについてレガシーＰＤＣＣＨとＥＰＤＣＣＨの両方のためにサポートされないと判断され得る。ＥＰＤＣＣＨは、ダウンリンクサブフレームのサブセットについて複数のコンポーネントキャリアのうちの少なくとも１つ上で構成され得る。ＥＰＤＣＣＨが構成されないときのサブフレームでは、ＵＥは、サブフレーム中でレガシーＰＤＣＣＨを監視することをスキップする。
【００８９】
[0106]いくつかの態様では、制御チャネルを監視することは、共通探索空間とＵＥ固有探索空間とのうちの少なくとも１つを監視することをさらに備える。
【００９０】
[0107]図１４は、例示的な装置１４０２中の異なるモジュール／手段／構成要素間のデータフローを示す概念データフロー図１４００である。本装置はＵＥであり得る。本装置は、第１のコンポーネントキャリアと第２のコンポーネントキャリアとを受信するモジュール１４０４と、第２の制御チャネルのために構成されたＵＥ固有探索空間を監視し、第１の制御チャネルのために構成された第１の探索空間と第２の制御チャネルのために構成された第２の探索空間とを監視するモジュール１４０６と、第１のコンポーネントキャリアと第２のコンポーネントキャリアとのうちの少なくとも１つのためにクロスキャリアスケジューリングがサポートされるかどうかを判断するモジュール１４０８と、第１および／または第２の制御チャネルを処理するモジュール１４１０と、ワイヤレスネットワーク（たとえば、ｅＮＢ１４５０）に送信を送るモジュール１４１２とを含む。
【００９１】
[0108]本装置は、図１２および図１３の上述のフローチャート中のアルゴリズムのステップの各々を実行する追加のモジュールを含み得る。したがって、図１２および図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９２】
[0109]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４、モジュール１４０４、１４０６、１４０８、１４１０、および１４１２、ならびにコンピュータ可読媒体１５０６によって表される、１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００９３】
[0110]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、任意の特定の装置のための上記で説明した様々な機能を実行させる。コンピュータ可読媒体１５０６はまた、ソフトウェアを実行するときにプロセッサ１５０４によって操作されるデータを記憶するために使用され得る。処理システムは、モジュール１４０４、１４０６、１４０８、１４１０、および１４１２のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００９４】
[0111]一構成では、ワイヤレス通信のための装置１４０２／１４０２’は、第１のコンポーネントキャリアと第２のコンポーネントキャリアとを受信するための手段、第１のコンポーネントキャリアと第２のコンポーネントキャリアとのうちの少なくとも１つのためにクロスキャリアスケジューリングがサポートされるかどうかを判断するための手段と、第２の制御チャネルのために構成されたＵＥ固有探索空間を監視するための手段と、第１の制御チャネルのために構成された第１の探索空間と、第２の制御チャネルのために構成された第２の探索空間とを監視するための手段と、第１の探索空間と第２の探索空間とがリソースの共通セットを共有する、第１の制御チャネルと第２の制御チャネルとを処理するための手段と、ワイヤレスネットワークに送信を送るための手段とを含む。
【００９５】
[0112]上述の手段は、上述の手段によって具陳された機能を実行するように構成された、装置１４０２の上述のモジュールおよび／または装置１４０２’の処理システム１５１４のうちの１つまたは複数であり得る。上記で説明したように、処理システム１５１４は、ＴＸプロセッサ６６８、ＲＸプロセッサ６５６、およびコントローラ／プロセッサ６５９を含み得る。したがって、一構成では、上述の手段は、上述の手段によって具陳された機能を実行するために構成された、ＴＸプロセッサ６６８、ＲＸプロセッサ６５６、およびコントローラ／プロセッサ６５９であり得る。
【００９６】
[0113]図１６は、ワイヤレス通信の方法のフローチャート１６００を含む。本方法はｅＮＢによって実行され得る。
【００９７】
[0114]ステップ１６０２において、ｅＮＢは、第１のコンポーネントキャリアに対応する第１の制御チャネルを含むように、および第２のコンポーネントキャリアに対応する第２の制御チャネルとキャリア指示情報とを含むように、第１のコンポーネントキャリアを構成する。他の態様では、ｅＮＢは、より大きい数のコンポーネントキャリアを構成し得る。
【００９８】
[0115]第２の制御チャネルは、いくつかのタイプの制御チャネルのうちの１つであり得る。たとえば、第２の制御チャネルは、レガシータイプの制御チャネル（たとえば、ＰＤＣＣＨ）または新しいタイプの制御チャネル（たとえば、ＥＰＤＣＣＨ）であり得る。第２のコンポーネントキャリアに対応する（「ＣＩＦ」とも呼ばれる）キャリア指示情報の値は、これらのいくつかのタイプの制御チャネルをサポートし得る。一態様では、キャリア指示情報の値は、第１のタイプの制御チャネルと第２のタイプの制御チャネルの両方のための第２のコンポーネントキャリアを識別する。たとえば、第２のコンポーネントキャリアに対応するキャリア指示情報は３ビット値（たとえば、「００１」）として表され得、そのような３ビット値は、制御チャネルがレガシータイプの制御チャネル（たとえば、ＰＤＣＣＨ）または新しいタイプの制御チャネル（たとえば、ＥＰＤＣＣＨ）であるときに採用され得る。一態様では、第２のコンポーネントキャリアに対応するキャリア指示情報の値は、ＲＲＣ構成に基づいて第２の制御チャネル中に含まれ得る。
【００９９】
[0116]一態様では、第２の制御チャネルは、第１のサブフレーム中の第１のタイプの制御チャネルであり得、第２のサブフレーム中の第２のタイプの制御チャネルであり得る。たとえば、図１０を参照すると、第２の制御チャネルは、サブフレーム１中の領域１００２中で受信されるＰＤＣＣＨであり得、サブフレーム２中の領域１００４中で受信されるＥＰＤＤＣＨであり得る。
【０１００】
[0117]一態様では、第１の制御チャネルは、第１のコンポーネントキャリアに対応するキャリア指示情報を含み得る。そのような態様では、第１のコンポーネントキャリアに対応するキャリア指示情報の値が、第１のタイプの制御チャネルと第２のタイプの制御チャネルの両方のための第１のコンポーネントキャリアを識別する。
【０１０１】
[0118]一態様では、第１のコンポーネントキャリアは１次コンポーネントキャリアとして構成され、第２のコンポーネントキャリアは２次コンポーネントキャリアとして構成される。別の態様では、第１のコンポーネントキャリアは第１の２次コンポーネントキャリアとして構成され、第２のコンポーネントキャリアは第２の２次コンポーネントキャリアとして構成される。
【０１０２】
[0119]ステップ１６０４において、ｅＮＢは、第２の制御チャネルのためにＵＥ固有探索空間を構成する。
【０１０３】
[0120]ステップ１６０６において、第１の制御チャネルと第２の制御チャネルとがＥＰＤＣＣＨであるとき、ｅＮＢは、第１の制御チャネルと第２の制御チャネルとのためのリソースの共通セットを構成する。
【０１０４】
[0121]ステップ１６０８において、ｅＮＢは、第１の制御チャネルのために第１の探索空間を、および第２の制御チャネルのために第２の探索空間を構成し、第１の探索空間と第２の探索空間とはリソースの共通セットを共有する。
【０１０５】
[0122]ステップ１６１０において、ｅＮＢは、第１の探索空間と第２の探索空間との間のオフセットを構成する。
【０１０６】
[0123]ステップ１６１２において、ｅＮＢは、第１第２のコンポーネントキャリアと第２のコンポーネントキャリアとを送信する。
【０１０７】
[0124]図１６において点線で示されたステップ１６０４、１６０６、１６０８、および１６１０は随意のステップを表すことを理解されたい。たとえば、一態様では、ステップ１６０２、１６０４、および１６１２は、ステップ１６０６、１６０８、および１６１０を実行することなしに実行され得る。別の例として、一態様では、ステップ１６０２と、ステップ１６０６、１６０８、および１６１０のうちの１つまたは複数と、ステップ１６１２とは、ステップ１６０４を実行することなしに実行され得る。
【０１０８】
[0125]図１７は、ワイヤレス通信の方法のフローチャート１７００を含む。本方法はｅＮＢによって実行され得る。ステップ１７０２において、ｅＮＢは、ワイヤレスアクセスネットワーク中のＵＥに複数のコンポーネントキャリアの構成を送信する。
【０１０９】
[0126]ステップ１７０４において、ｅＮＢは、複数のコンポーネントキャリアのうちの少なくとも１つのためにクロスキャリアスケジューリングを構成する。
【０１１０】
[0127]ステップ１７０６において、ｅＮＢは、レガシーＰＤＣＣＨとＥＰＤＣＣＨとのうちの１つまたは複数中で複数のコンポーネントキャリアのうちの少なくとも１つのためのクロスキャリアスケジューリングを送信する。いくつかの態様では、クロスキャリアスケジューリングがレガシーＰＤＣＣＨ中で送信されるとき、クロスキャリアスケジューリングはＥＰＤＣＣＨ中で送信されない。
【０１１１】
[0128]いくつかの態様では、複数のコンポーネントキャリアのうちの少なくとも１つのためのレガシーＰＤＣＣＨ中でクロスキャリアスケジューリングが送信されるとき、クロスキャリアスケジューリングは、複数のコンポーネントキャリアのうちの第１のコンポーネントキャリア上のＥＰＤＣＣＨ上で送信され、ここにおいて、レガシーＰＤＣＣＨは、複数のコンポーネントキャリアのうちの異なるコンポーネントキャリア上で送信される。クロスキャリアスケジューリングは、複数のコンポーネントキャリアのうちの少なくとも１つについてレガシーＰＤＣＣＨとＥＰＤＣＣＨの両方の上で送信され得る。レガシーＰＤＣＣＨとＥＰＤＣＣＨは、クロスキャリア指示フィールドの定義と、クロスキャリアスケジューリングを有効化または無効化するためのシグナリングと、複数のコンポーネントキャリアのうちの少なくとも１つについてレガシーＰＤＣＣＨとＥＰＤＣＣＨとを送信するための同じコンポーネントキャリアとのうちの少なくとも１つを含む共通定義を共有し得る。
【０１１２】
[0129]いくつかの態様では、複数のコンポーネントキャリア中のコンポーネントキャリアは、２つ以上のコンポーネントキャリアのＥＰＤＣＣＨのための探索空間を含んでいる。探索空間は、ＥＰＤＣＣＨのために構成された共通リソースセットを共有し得る。探索空間は別々に構成されたリソースセットを有し得る。２つ以上のコンポーネントキャリアのためのＥＰＤＣＣＨは、共通レートマッチング動作と擬似コロケーション動作とのうちの少なくとも１つを共有し得る。
【０１１３】
[0130]いくつかの態様では、クロスキャリアスケジューリングがレガシーＰＤＣＣＨとＥＰＤＣＣＨの両方の中で送信されないとき、クロスキャリアスケジューリングは、複数のコンポーネントキャリアのうちの少なくとも１つについてＥＰＤＣＣＨ中で送信される。ＥＰＤＣＣＨは、ダウンリンクサブフレームのサブセットについて複数のコンポーネントキャリアのうちの少なくとも１つ上で送信され得る。複数のコンポーネントキャリアのうちの少なくとも１つは１次コンポーネントキャリアとして構成され得、複数のコンポーネントキャリアのうちの少なくとも１つは２次コンポーネントキャリアとして構成され得る。
【０１１４】
[0131]いくつかの態様では、ＣＩＦは、ＰＤＣＣＨとＥＰＤＤＣＨとのうちの１つまたは複数において構成される。
【０１１５】
[0132]図１８は、例示的な装置１８０２中の異なるモジュール／手段／構成要素間のデータフローを示す概念データフロー図１８００である。本装置はｅＮＢであり得る。本装置は、ＵＥから信号を受信するためのモジュール１８０４と、第１のコンポーネントキャリアと第２のコンポーネントキャリアとのうちの少なくとも１つのためにクロスキャリアスケジューリングを構成し、第１のコンポーネントキャリアに対応する第１の制御チャネルを含むように、および第２のコンポーネントキャリアに対応する第２の制御チャネルとキャリア指示情報とを含むように第１のコンポーネントキャリアを構成するモジュール１８０６と、第１の制御チャネルと第２の制御チャネルとがＥＰＤＣＣＨであるとき、第１の制御チャネルと第２の制御チャネルとのためのリソースの共通セットを構成するモジュール１８０８とを含む。モジュール１８０８は、第１の制御チャネルのために第１の探索空間を、および第２の制御チャネルのために第２の探索空間をさらに構成し、第１の探索空間と第２の探索空間とはリソースの共通セットを共有する。モジュール１８０８は、第１の探索空間と第２の探索空間との間のオフセットをさらに構成し、第２の制御チャネルのためにＵＥ固有探索空間を構成する。本装置は、ＵＥ１８５０に第１のコンポーネントキャリアおよび第２のコンポーネントキャリアと構成およびスケジューリングとを送信するモジュール１８１０をさらにインルクード（inlcude）する。
【０１１６】
[0133]本装置は、図１６および図１７の上述のフローチャート中のアルゴリズムのステップの各々を実行する追加のモジュールを含み得る。したがって、図１６および図１７の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１７】
[0134]図１９は、処理システム１９１４を採用する装置１８０２’のためのハードウェア実装形態の一例を示す図１９００である。処理システム１９１４は、バス１９２４によって概略的に表されるバスアーキテクチャを用いて実装され得る。バス１９２４は、処理システム１９１４の特定の適用例および全体的な設計制約に応じて、任意の数の相互接続バスおよびブリッジを含み得る。バス１９２４は、プロセッサ１９０４、モジュール１８０４、１８０６、１８０８、および１８１０、ならびにコンピュータ可読媒体１９０６によって表される、１つまたは複数のプロセッサおよび／またはハードウェアモジュールを含む様々な回路を互いにリンクする。バス１９２４はまた、タイミングソース、周辺機器、電圧調整器、および電力管理回路など、様々な他の回路をリンクし得るが、これらの回路は当技術分野においてよく知られており、したがって、これ以上説明しない。
【０１１８】
[0135]処理システム１９１４はトランシーバ１９１０に結合され得る。トランシーバ１９１０は１つまたは複数のアンテナ１９２０に結合される。トランシーバ１９１０は、伝送媒体を介して様々な他の装置と通信するための手段を与える。処理システム１９１４は、コンピュータ可読媒体１９０６に結合されたプロセッサ１９０４を含む。プロセッサ１９０４は、コンピュータ可読媒体１９０６に記憶されたソフトウェアの実行を含む一般的な処理を担当する。ソフトウェアは、プロセッサ１９０４によって実行されたとき、処理システム１９１４に、任意の特定の装置のための上記で説明した様々な機能を実行させる。コンピュータ可読媒体１９０６はまた、ソフトウェアを実行するときにプロセッサ１９０４によって操作されるデータを記憶するために使用され得る。処理システムは、モジュール１８０４、１８０６、１８０８、および１８１０のうちの少なくとも１つをさらに含む。それらのモジュールは、プロセッサ１９０４中で動作するか、コンピュータ可読媒体１９０６中に常駐する／記憶されたソフトウェアモジュールであるか、プロセッサ１９０４に結合された１つまたは複数のハードウェアモジュールであるか、またはそれらの何らかの組合せであり得る。処理システム１９１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１１９】
[0136]一構成では、ワイヤレス通信のための装置１８０２／１８０２’は、ＵＥからの送信を受信するための手段と、複数のコンポーネントキャリアのうちの少なくとも１つのためにクロスキャリアスケジューリングを構成するための手段と、第１のコンポーネントキャリアに対応する第１の制御チャネルを含むように、および第２のコンポーネントキャリアに対応する第２の制御チャネルとキャリア指示情報とを含むように第１のコンポーネントキャリアを構成するための手段と、第１の制御チャネルと第２の制御チャネルとのためのリソースの共通セットを構成するための手段と、第１の制御チャネルのために第１の探索空間を、および第２の制御チャネルのために第２の探索空間を構成するための手段と、第１の探索空間と第２の探索空間とがリソースの共通セットを共有する、第１の探索空間と第２の探索空間との間のオフセットを構成するための手段と、第２の制御チャネルのためにＵＥ固有探索空間を構成するための手段と、レガシーＰＤＣＣＨとＥＰＤＣＣＨのうちの１つまたは複数中で複数のコンポーネントキャリアのうちの少なくとも１つのためのクロスキャリアスケジューリングを送信するための、および第１のコンポーネントキャリアと第２のコンポーネントキャリアとを送信するための手段とを含む。
【０１２０】
[0137]上述の手段は、上述の手段によって具陳された機能を実行するように構成された、装置１８０２の上述のモジュールおよび／または装置１８０２’の処理システム１９１４のうちの１つまたは複数であり得る。上記で説明したように、処理システム１９１４は、ＴＸプロセッサ６１６、ＲＸプロセッサ６７０、およびコントローラ／プロセッサ６７５を含み得る。したがって、一構成では、上述の手段は、上述の手段によって具陳された機能を実行するために構成された、ＴＸプロセッサ６１６、ＲＸプロセッサ６７０、およびコントローラ／プロセッサ６７５であり得る。
【０１２１】
[0138]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１２２】
[0139]以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2018207509.tif 000004
【図２】
2018207509.tif 000005
【図３】
2018207509.tif 000006
【図４】
2018207509.tif 000007
【図５】
2018207509.tif 000008
【図６】
2018207509.tif 000009
【図７】
2018207509.tif 000010
【図８】
2018207509.tif 000011
【図９】
2018207509.tif 000012
【図１０】
2018207509.tif 000013
【図１１】
2018207509.tif 000014
【図１２】
2018207509.tif 000015
【図１３】
2018207509.tif 000016
【図１４】
2018207509.tif 000017
【図１５】
2018207509.tif 000018
【図１６】
2018207509.tif 000019
【図１７】
2018207509.tif 000020
【図１８】
2018207509.tif 000021
【図１９】
2018207509.tif 000022
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
キャリア指示情報が有効化されることを示す制御シグナリングを受信することと、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは前記第２の制御チャネルに基づいて、前記キャリア指示情報の前記値に従って、前記サブフレームを処理することと、
を備える、方法。
【請求項２】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項１に記載の方法。
【請求項３】
前記第１のコンポーネントキャリアは、１次コンポーネントキャリアとして構成され、前記第２のコンポーネントキャリアは、２次コンポーネントキャリアとして構成される、請求項１に記載の方法。
【請求項４】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項１に記載の方法。
【請求項５】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項１に記載の方法。
【請求項６】
前記第１の制御チャネルのために構成された第１の探索空間と、前記第２の制御チャネルのために構成された第２の探索空間とを監視することをさらに備え、前記第１と前記第２の探索空間は、リソースの前記共通セットを共有する、請求項５に記載の方法。
【請求項７】
前記第２の探索空間は、前記第１の探索空間からオフセットされる、請求項６に記載の方法。
【請求項８】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、請求項１に記載の方法。
【請求項９】
前記キャリア指示情報の前記値は、無線リソース制御（ＲＲＣ）構成に基づいて前記第２の制御チャネル中に含まれる、請求項１に記載の方法。
【請求項１０】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項１に記載の方法。
【請求項１１】
前記第２の制御チャネルのために構成されたＵＥ固有探索空間を監視することをさらに備える、請求項１に記載の方法。
【請求項１２】
ユーザ機器におけるワイヤレス通信のための装置であって、
キャリア指示情報が有効化されることを示す制御シグナリングを受信し、第１のコンポーネントキャリアと第２のコンポーネントキャリアとを受信するための手段と、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは第２の制御チャネルに基づいて、前記キャリア指示情報の前記値に従って、前記サブフレームを処理するための手段と
を備える、装置。
【請求項１３】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項１２に記載の装置。
【請求項１４】
前記第１のコンポーネントキャリアは、１次コンポーネントキャリアとして構成され、前記第２のコンポーネントキャリアは、２次コンポーネントキャリアとして構成される、請求項１２に記載の装置。
【請求項１５】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項１２に記載の装置。
【請求項１６】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項１２に記載の装置。
【請求項１７】
前記第１の制御チャネルのために構成された第１の探索空間と、前記第２の制御チャネルのために構成された第２の探索空間とを監視するための手段をさらに備え、前記第１と前記第２の探索空間は、リソースの前記共通セットを共有する、請求項１６に記載の装置。
【請求項１８】
前記第２の探索空間は、前記第１の探索空間からオフセットされる、請求項１７に記載の装置。
【請求項１９】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、請求項１２に記載の装置。
【請求項２０】
前記キャリア指示情報の前記値は、無線リソース制御（ＲＲＣ）構成に基づいて前記第２の制御チャネル中に含まれる、請求項１２に記載の装置。
【請求項２１】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項１２に記載の装置。
【請求項２２】
前記第２の制御チャネルのために構成されたＵＥ固有探索空間を監視するための手段をさらに備える、請求項１２に記載の装置。
【請求項２３】
ユーザ機器におけるワイヤレス通信のための装置であって、
メモリと、
前記メモリに結合され、
キャリア指示情報が有効化されることを示す制御シグナリングを受信することと、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネルと、ここにおいて、前記第１の制御チャネルは第１のタイプの制御チャネルである、
前記第１のコンポーネントキャリアまたは前記第２のコンポーネントキャリアのうちの少なくとも１つのためのリソースをスケジュールするように構成された第２の制御チャネルと、ここにおいて、前記第２の制御チャネルは第２のタイプの制御チャネルである、
のうちの１つを含むサブフレームと、
第１のタイプの制御チャネルまたは前記第２のタイプの制御チャネルに位置付けられており、値を有している前記キャリア指示情報と、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
を備え、
前記第１の制御チャネルまたは第２の制御チャネルに基づいて、前記キャリア指示情報の前記値に従って、前記サブフレームを処理することと、
を行うように構成された少なくとも１つのプロセッサと
を備える、装置。
【請求項２４】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項２３に記載の装置。
【請求項２５】
前記第１のコンポーネントキャリアは、１次コンポーネントキャリアとして構成され、前記第２のコンポーネントキャリアは、２次コンポーネントキャリアとして構成される、請求項２３に記載の装置。
【請求項２６】
前記第１の制御チャネルまたは前記第２の制御チャネルを備え、前記キャリア指示情報を備える前記第１のコンポーネントキャリアは、第１の２次コンポーネントキャリアとして構成され、前記第２のコンポーネントキャリアは、第２の２次コンポーネントキャリアとして構成される、請求項２３に記載の装置。
【請求項２７】
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成される、請求項２３に記載の装置。
【請求項２８】
前記少なくとも１つのプロセッサは、前記第１の制御チャネルのために構成された第１の探索空間と、前記第２の制御チャネルのために構成された第２の探索空間とを監視するようにさらに構成され、前記第１と前記第２の探索空間は、リソースの前記共通セットを共有する、請求項２７に記載の装置。
【請求項２９】
前記第２の探索空間は、前記第１の探索空間からオフセットされる、請求項２８に記載の装置。
【請求項３０】
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルの両方のための前記第１のコンポーネントキャリアを識別する、
請求項２３に記載の装置。
【請求項３１】
前記キャリア指示情報の前記値は、無線リソース制御（ＲＲＣ）構成に基づいて前記第２の制御チャネル中に含まれる、請求項２３に記載の装置。
【請求項３２】
前記サブフレームは前記第１の制御チャネルを含む第１のサブフレームであり、
前記第２の制御チャネルは第２のサブフレーム中に含まれ、
前記第１のサブフレームは前記第２のサブフレームとは異なる、
請求項２３に記載の装置。
【請求項３３】
前記少なくとも１つのプロセッサは、前記第２の制御チャネルのために構成されたＵＥ固有探索空間を監視するようにさらに構成される、請求項２３に記載の装置。
【請求項３４】
ユーザ機器におけるワイヤレス通信のためのコンピュータ実行可能コードを記憶する、非一時的コンピュータ可読媒体であって、
キャリア指示情報が有効化されることを示す制御シグナリングを受信することと、
第１のコンポーネントキャリアと第２のコンポーネントキャリアとを受信することと、前記第１のコンポーネントキャリアは、
前記第１のコンポーネントキャリアまたは前記第２のコンポーネントキャリアのうちの少なくとも１つのためのリソースをスケジュールするように構成された第１の制御チャネル、ここにおいて、前記第１の制御チャネルは第１のタイプの制御チャネルである、または、
前記第１のコンポーネントキャリアまたは前記第２のコンポーネントキャリアのうちの少なくとも１つのためのリソースをスケジュールするように構成された第２の制御チャネル、ここにおいて、前記第２の制御チャネルは第２のタイプの制御チャネルである、
のうちの１つを含むサブフレームと、
第１のタイプの制御チャネルまたは前記第２のタイプの制御チャネルに位置付けられており、値を有している前記キャリア指示情報と、を備え、ここにおいて、前記値が第１の値を備える時、前記キャリア指示情報は、前記第１のタイプの制御チャネルまたは前記第２のタイプの制御チャネルが、前記第１のコンポーネントキャリア上の前記リソースをスケジュールすることを識別し、前記値が第２の値を備える時、前記キャリア指示情報は、前記第１のタイプの制御チャネルまたは前記第２のタイプの制御チャネルが、前記第２のコンポーネントキャリア上の前記リソースをスケジュールすることを識別する、
前記第１の制御チャネルまたは前記第２の制御チャネルに基づいて、前記キャリア指示情報の値に従って、前記サブフレームを処理することと、
を行うためのコードを備え、
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、
非一時的コンピュータ可読媒体。
【請求項３５】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項１に記載の方法。
【請求項３６】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項１２に記載の装置。
【請求項３７】
前記キャリア識別情報は、異なるサブフレーム中でクロスキャリアスケジューリングのために、前記第１のタイプの制御チャネルが使用されるか、前記第２のタイプの制御チャネルが使用されるかを識別するために使用される、請求項２３に記載の装置。
【請求項３８】
前記サブフレームを、前記第１の制御チャネルに基づいて処理するか、前記第２の制御チャネルに基づいて処理するかを決定することをさらに備え、
前記決定は、前記受信されたキャリア指示情報の前記値に基づく、請求項１に記載の方法。
【請求項３９】
前記キャリア指示情報が有効化されることを示す前記制御シグナリングは、前記第１のタイプの制御チャネルと前記第２のタイプの制御チャネルと両方のための共通制御信号を備える、請求項１に記載の方法。
【請求項４０】
前記第１のタイプの制御チャネルと前記第２のタイプの制御チャネルとは、両方ともダウンリンク制御チャネルであり、前記キャリア指示情報が有効化されることを示す前記制御シグナリングは、前記キャリア指示情報が前記第１のタイプの制御チャネルと前記第２のタイプの制御チャネルとの両方のために有効化されることを示す、請求項１に記載の方法。
【請求項４１】
前記第１のタイプの制御チャネルは、レガシー物理ダウンリンク制御チャネル（ＰＤＣＣＨ）を備え、前記第２のタイプの制御チャネルは、拡張物理ダウンリンク制御チャネル（ＥＰＤＣＣＨ）を備え、前記キャリア指示情報が有効化されることを示す前記制御シグナリングは、前記キャリア指示情報が前記レガシーＰＤＣＣＨと前記ＥＰＤＣＣＨとの両方のために有効化されることを示す、請求項１に記載の方法。
【手続補正２】
【補正対象書類名】明細書
【補正対象項目名】０１２２
【補正方法】変更
【補正の内容】
【０１２２】
[0139]以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１のタイプまたは第２のタイプの制御チャネルのうちの１つであり、およびここにおいて、前記キャリア指示情報の値が、前記第１のタイプと前記第２のタイプの制御チャネルの両方のための前記第２のコンポーネントキャリアを識別する、
前記第１と前記第２の制御チャネルとを処理することと
を備える、ワイヤレス通信の方法。
［Ｃ２］前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ１に記載の方法。
［Ｃ３］前記第１のコンポーネントキャリアが１次コンポーネントキャリアとして構成され、前記第２のコンポーネントキャリアが２次コンポーネントキャリアとして構成された、Ｃ１に記載の方法。
［Ｃ４］前記第１のコンポーネントキャリアが第１の２次コンポーネントキャリアとして構成され、前記第２のコンポーネントキャリアが第２の２次コンポーネントキャリアとして構成された、Ｃ１に記載の方法。
［Ｃ５］前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成される、Ｃ１に記載の方法。
［Ｃ６］前記第１の制御チャネルのために構成された第１の探索空間と、前記第２の制御チャネルのために構成された第２の探索空間とを監視することをさらに備え、前記第１と前記第２の探索空間とがリソースの前記共通セットを共有する、Ｃ５に記載の方法。
［Ｃ７］前記第２の探索空間は、前記第１の探索空間からオフセットされる、Ｃ６に記載の方法。
［Ｃ８］前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、
Ｃ１に記載の方法。
［Ｃ９］前記キャリア指示情報の前記値は、無線リソース制御（ＲＲＣ）構成に基づいて前記第２の制御チャネル中に含まれる、Ｃ１に記載の方法。
［Ｃ１０］前記第２の制御チャネルは第１のサブフレーム中の前記第１のタイプの制御チャネルであり、第２のサブフレーム中の前記第２のタイプの制御チャネルであり、前記第１のサブフレームは前記第２のサブフレームとは異なる、Ｃ１に記載の方法。
［Ｃ１１］前記第２の制御チャネルのために構成されたＵＥ固有探索空間を監視することをさらに備える、Ｃ１に記載の方法。
［Ｃ１２］第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を備える、ワイヤレス通信の方法。
［Ｃ１３］前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ１２に記載の方法。
［Ｃ１４］前記第１のコンポーネントキャリアは、１次コンポーネントキャリアとして構成され、前記第２のコンポーネントキャリアは、２次コンポーネントキャリアとして構成された、Ｃ１２に記載の方法。
［Ｃ１５］前記第１のコンポーネントキャリアが第１の２次コンポーネントキャリアとして構成され、前記第２のコンポーネントキャリアが第２の２次コンポーネントキャリアとして構成された、Ｃ１２に記載の方法。
［Ｃ１６］前記第１の制御チャネルと前記第２の制御チャネルとは、拡張物理ダウンリンク制御チャネル（ＥＰＤＣＣＨ）であり、
前記方法は、前記第１の制御チャネルと前記第２の制御チャネルとのためのリソースの共通セットを構成することをさらに備える、
Ｃ１２に記載の方法。
［Ｃ１７］前記第１の制御チャネルのために第１の探索空間を、および前記第２の制御チャネルのために第２の探索空間を構成することをさらに備え、前記第１の探索空間と前記第２の探索空間とがリソースの前記共通セットを共有する、Ｃ１６に記載の方法。
［Ｃ１８］前記第２の探索空間は、前記第１の探索空間からオフセットされる、Ｃ１７に記載の方法。
［Ｃ１９］前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、
Ｃ１２に記載の方法。
［Ｃ２０］前記第２のコンポーネントキャリアに対応する前記キャリア指示情報の前記値は、無線リソース制御（ＲＲＣ）構成に基づいて前記第２の制御チャネル中に含まれる、Ｃ１２に記載の方法。
［Ｃ２１］前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ１２に記載の方法。
［Ｃ２２］前記第２の制御チャネルのためにＵＥ固有探索空間を構成することをさらに備える、Ｃ１２に記載の方法。
［Ｃ２３］第１のコンポーネントキャリアと第２のコンポーネントキャリアとを受信するための手段と、前記第１のコンポーネントキャリアは、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するための手段と
を備える、ワイヤレス通信のための装置。
［Ｃ２４］前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ２３に記載の装置。
［Ｃ２５］前記第１のコンポーネントキャリアは、１次コンポーネントキャリアとして構成され、前記第２のコンポーネントキャリアは、２次コンポーネントキャリアとして構成された、Ｃ２３に記載の装置。
［Ｃ２６］前記第１のコンポーネントキャリアは、第１の２次コンポーネントキャリアとして構成され、前記第２のコンポーネントキャリアは、第２の２次コンポーネントキャリアとして構成された、Ｃ２３に記載の装置。
［Ｃ２７］前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成された、Ｃ２３に記載の装置。
［Ｃ２８］前記第１の制御チャネルのために構成された第１の探索空間と、前記第２の制御チャネルのために構成された第２の探索空間とを監視するための手段をさらに備え、前記第１の探索空間と前記第２の探索空間とがリソースの前記共通セットを共有する、Ｃ２７に記載の装置。
［Ｃ２９］前記第２の探索空間は、前記第１の探索空間からオフセットされる、Ｃ２８に記載の装置。
［Ｃ３０］前記第１の制御チャネルが、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、
Ｃ２３に記載の装置。
［Ｃ３１］前記キャリア指示情報の前記値は、無線リソース制御（ＲＲＣ）構成に基づいて前記第２の制御チャネル中に含まれる、Ｃ２３に記載の装置。
［Ｃ３２］前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、Ｃ２３に記載の装置。
［Ｃ３３］前記第２の制御チャネルのために構成されたＵＥ固有探索空間を監視するための手段をさらに備える、Ｃ２３に記載の装置。
［Ｃ３４］第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するための手段と、ここにおいて、前記第２の制御チャネルが少なくとも第１または第２のタイプの制御チャネルのうちの１つであり、およびここにおいて、前記キャリア指示情報の値は、前記第１と前記第２のタイプとの制御チャネルの両方のための前記第２のコンポーネントキャリアを識別する、
前記第１と前記第２のコンポーネントキャリアとを送信するための手段と
を備える、ワイヤレス通信のための装置。
［Ｃ３５］前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ３４に記載の装置。
［Ｃ３６］前記第１のコンポーネントキャリアは、１次コンポーネントキャリアとして構成され、前記第２のコンポーネントキャリアは、２次コンポーネントキャリアとして構成された、Ｃ３４に記載の装置。
［Ｃ３７］前記第１のコンポーネントキャリアは、第１の２次コンポーネントキャリアとして構成され、前記第２のコンポーネントキャリアは、第２の２次コンポーネントキャリアとして構成された、Ｃ３４に記載の装置。
［Ｃ３８］前記第１の制御チャネルと前記第２の制御チャネルとは、拡張物理ダウンリンク制御チャネル（ＥＰＤＣＣＨ）であり、
前記装置は、前記第１の制御チャネルと前記第２の制御チャネルとのためのリソースの共通セットを構成するための手段をさらに備える、
Ｃ３４に記載の装置。
［Ｃ３９］前記第１の制御チャネルのために第１の探索空間を、および前記第２の制御チャネルのために第２の探索空間を構成するための手段をさらに備え、前記第１と前記第２の探索空間とは、リソースの前記共通セットを共有する、Ｃ３８に記載の装置。
［Ｃ４０］前記第２の探索空間は、前記第１の探索空間からオフセットされる、Ｃ３９に記載の装置。
［Ｃ４１］前記第１の制御チャネルは、前記第１のコンポーネントキャリアに対応するキャリア指示情報を備え、前記第１のコンポーネントキャリアに対応する前記キャリア指示情報の値は、前記第１と前記第２のタイプの制御チャネルとの両方のための前記第１のコンポーネントキャリアを識別する、Ｃ３４に記載の装置。
［Ｃ４２］前記第２のコンポーネントキャリアに対応する前記キャリア指示情報の前記値は、無線リソース制御（ＲＲＣ）構成に基づいて前記第２の制御チャネル中に含まれる、Ｃ３４に記載の装置。
［Ｃ４３］前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ３４に記載の装置。
［Ｃ４４］前記第２の制御チャネルのためにＵＥ固有探索空間を構成するための手段をさらに備える、Ｃ３４に記載の装置。
［Ｃ４５］メモリと、
前記メモリに結合され、
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理することと
を行うように構成された少なくとも１つのプロセッサと
を備える、ワイヤレス通信のための装置。
［Ｃ４６］前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ４５に記載の装置。
［Ｃ４７］前記第１のコンポーネントキャリアは、１次コンポーネントキャリアとして構成され、前記第２のコンポーネントキャリアは、２次コンポーネントキャリアとして構成された、Ｃ４５に記載の装置。
［Ｃ４８］前記第１のコンポーネントキャリアは、第１の２次コンポーネントキャリアとして構成され、前記第２のコンポーネントキャリアは、第２の２次コンポーネントキャリアとして構成された、Ｃ４５に記載の装置。
［Ｃ４９］前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成された、Ｃ４５に記載の装置。
［Ｃ５０］前記少なくとも１つのプロセッサは、前記第１の制御チャネルのために構成された第１の探索空間と、前記第２の制御チャネルのために構成された第２の探索空間とを監視するようにさらに構成され、前記第１と前記第２の探索空間とは、リソースの前記共通セットを共有する、Ｃ４９に記載の装置。
［Ｃ５１］前記第２の探索空間は、前記第１の探索空間からオフセットされる、Ｃ５０に記載の装置。
［Ｃ５２］前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、
Ｃ４５に記載の装置。
［Ｃ５３］前記キャリア指示情報の前記値は、無線リソース制御（ＲＲＣ）構成に基づいて前記第２の制御チャネル中に含まれる、Ｃ４５に記載の装置。
［Ｃ５４］前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、Ｃ４５に記載の装置。
［Ｃ５５］前記少なくとも１つのプロセッサは、前記第２の制御チャネルのために構成されたＵＥ固有探索空間を監視するようにさらに構成された、Ｃ４５に記載の装置。
［Ｃ５６］メモリと、
前記メモリに結合され、
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を行うように構成された少なくとも１つのプロセッサと
を備える、ワイヤレス通信のための装置。
［Ｃ５７］前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ５６に記載の装置。
［Ｃ５８］前記第１のコンポーネントキャリアは、１次コンポーネントキャリアとして構成され、前記第２のコンポーネントキャリアは、２次コンポーネントキャリアとして構成された、Ｃ５６に記載の装置。
［Ｃ５９］前記第１のコンポーネントキャリアは、第１の２次コンポーネントキャリアとして構成され、前記第２のコンポーネントキャリアは、第２の２次コンポーネントキャリアとして構成された、Ｃ５６に記載の装置。
［Ｃ６０］前記第１の制御チャネルと前記第２の制御チャネルとは、拡張物理ダウンリンク制御チャネル（ＥＰＤＣＣＨ）であり、
前記少なくとも１つのプロセッサが、前記第１の制御チャネルと前記第２の制御チャネルとのためにリソースの共通セットを構成するようにさらに構成された、
Ｃ５６に記載の装置。
［Ｃ６１］前記少なくとも１つのプロセッサが、前記第１の制御チャネルのために第１の探索空間を、および前記第２の制御チャネルのために第２の探索空間を構成するようにさらに構成され、前記第１と前記第２の探索空間とがリソースの前記共通セットを共有する、Ｃ６０に記載の装置。
［Ｃ６２］前記第２の探索空間は、前記第１の探索空間からオフセットされる、Ｃ６１に記載の装置。
［Ｃ６３］前記第１の制御チャネルが、前記第１のコンポーネントキャリアに対応するキャリア指示情報を備え、前記第１のコンポーネントキャリアに対応する前記キャリア指示情報の値が、前記第１と前記第２のタイプの制御チャネルとの両方のための前記第１のコンポーネントキャリアを識別する、Ｃ５６に記載の装置。
［Ｃ６４］前記第２のコンポーネントキャリアに対応する前記キャリア指示情報の前記値は、無線リソース制御（ＲＲＣ）構成に基づいて前記第２の制御チャネル中に含まれる、Ｃ５６に記載の装置。
［Ｃ６５］前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ５６に記載の装置。
［Ｃ６６］前記少なくとも１つのプロセッサが、前記第２の制御チャネルのためにＵＥ固有探索空間を構成するようにさらに構成された、Ｃ５６に記載の装置。
［Ｃ６７］  第１のコンポーネントキャリアと第２のコンポーネントキャリアとを受信するためのコードと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するためのコードと
を備えるコンピュータ可読媒体
を備える、コンピュータプログラム製品。
［Ｃ６８］  第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するためのコードと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信するためのコードと
を備えるコンピュータ可読媒体を備える、コンピュータプログラム製品。
【外国語明細書】
2018207509000001.pdf